(57)【要約】【課題】  ウェブサイトにおけるコンテンツ管理システムを、業種別のニーズに合わせた内容で整理し、業種別ＣＭＳをそれぞれテンプレート化することにより、ウェブサイトの管理者がインターネットの知識に乏しくても、ウェブサイト製作専門業者に頼らず、取扱説明書にそってウェブサイトのコンテンツ管理を容易にすることができ、ウェブサイト開設者または開設予定者に対し、製作費用、開設後の運営費用等これまでより短時間で安価にウェブサイトを提供することを目的とする。【解決手段】  業種別にウェブサイトの内容を分析し、その業種のウェブサイトに必要とされるコンテンツマネージメントシステムを製作し、業種別コンテンツマネージメントシステムに対応した取扱説明書を作成し、それらをまとめて業種別にテンプレート化することによって、ウェブサイト費用の削減、ウェブサイトコンテンツ管理の簡素化を図る。【選択図】  図１
2006350988.tif 000002
【特許請求の範囲】
【請求項１】
業種別にウェブサイトの内容を分析し、その業種のウェブサイトに必要とされるコンテンツマネージメントシステムを製作し、業種別コンテンツマネージメントシステムに対応した取扱説明書を作成し、それらをまとめて業種別にテンプレート化することを特徴とするコンテンツ管理システム。
【発明の詳細な説明】
【技術分野】
【０００１】  本発明は、ウェブサイトにおけるコンテンツ管理システム（コンテンツ（Ｃ）マネージメント（Ｍ）システム（Ｓ）、以下これをＣＭＳと略す）を、業種別のニーズに合わせた内容で整理し、業種別ＣＭＳをそれぞれテンプレート化することにより、ウェブサイトの管理者がインターネットの知識に乏しくても、ウェブサイト製作専門業者（以下専門業者と略す）に頼らず、取扱説明書にそってウェブサイトのコンテンツ管理を容易にすることができ、ウェブサイト開設者または開設予定者（以下まとめて開設者と略す）に対し、製作費用、開設後の運営費用等これまでより短時間で安価にウェブサイトを提供することを特徴とするものである。
【背景技術】
【０００２】  従来インターネット（３）上では様々なＣＭＳ（１１）が利用されてきた。ＣＭＳ（１１）はウェブサーバー（１２）とアプリケーションサーバー（１３）とデータベース（１４）の連携作業により、ウェブサイトのコンテンツを簡単に管理できるようにシステム化したものである（非特許文献１参照）。【０００３】  ＣＭＳ（１１）の簡単な動作状況を説明する。ユーザー（４）がインターネット（３）を通じてウェブサイト（２、６、１０）を閲覧するとき、ブラウザがウェブサーバー（１２）にファイルを要求し、ウェブサーバー（１２）はファイルの内容をブラウザに送信し、ブラウザはファイルの内容を表示する。アプリケーションサーバー（１３）はウェブサーバー（１２）に含まれるスクリプトを実行し、データベース（１４）内のデータを追加、変更、演算、削除、表示することができる。【０００４】  ＣＭＳ（１１）を活用した例としては、ショッピングモールサイト（非特許文献２）、オークションサイト（非特許文献３）、ウェブサイト製作支援サイト（非特許文献４）などがあり、多くのユーザー（４）に利用されている。特にウェブサイト製作支援サイト（非特許文献４）は、多彩なデザインとＣＭＳ（１１）を既製品化したウェブサイト（６）を格安にて提供したため、主に中小企業系の開設者（５）に注目された。【０００５】  しかし、上記を含む一部の企業以外の一般的なウェブサイト（１０）は、ＣＭＳ（１１）機能を持つものは少なく、開設後ウェブサイトを変更できるのは専門業者（９）だけであり、開設者（８）は運営を専門業者（９）に依存していた。【０００６】
【非特許文献１】ウルトラデベロッパーウェブマスタリングブック、植木友浩、翔泳社
【非特許文献２】楽天市場（ｈｔｔｐ：／／ｗｗｗ．ｒａｋｕｔｅｎ．ｃｏｊｐ）、
【非特許文献３】ヤフー！ジャパン（ｈｔｔｐ：／／ｗｗｗ．ｙａｈｏｏ．ｃｏ．ｊｐ）
【非特許文献４】おちゃのこネット（ｈｔｔｐ：／／ｗｗｗ．ｏｃｎｋ．ｎｅｔ）
【発明の開示】
【発明が解決しようとする課題】
【０００７】  そのために、次のような問題点があった。【０００８】  （イ）専門業者（９）は、開設者（８）の細かい要望に合わせて、常に一からウェブサイト（１０）を設計し製作するため（図５参照）、人件費の増加、製作期間の長期化に伴い、専門業者（９）は開設者（８）に高価な製作費用を要求せざるを得なかった。また、さらにＣＭＳ（１１）を付属させるとき、ＣＭＳ製作業者自体が日本にはまだ少なく、より時間と人件費が必要になった。ＣＭＳ（１１）は一度製作すれば後々のウェブサイト管理を自由にできるため、長期的な投資になるとも考えられたが、やはり高額費用が必要であった。【０００９】  （ロ）そのため、予算力のある企業のウェブサイト（１０Ｅ）とそうでない企業のウェブサイト（１０Ｄ、１０Ｆ）では、ウェブサイトのデザイン的な完成度、機能性、新規性に格段の差があり、集客率にも大きく影響したため、インターネットビジネスを活用できる企業とそうでない企業が明確に別れてしまった。【００１０】  （ハ）一方、ウェブサイト製作支援サイト（６）では、ＣＭＳが１パターンのみで、利用開設者（５）は小売業に限定された。ウェブサイト製作支援サイトの利用者の開設したウェブサイト（６）は、各々のファイル、そして各利用者のデータを同一サーバー（７）内に保管しているため、サーバー（７）で問題が発生した場合、同時に大勢の利用開設者（５）のウェブサイト（６）に影響が及んでしまう恐れがあった。【００１１】  本発明は、これらの問題点を解決するためになされたものである。
【課題を解決するための手段】
【００１２】  業種別にウェブサイトの内容を分析し、その業種のウェブサイトに必要とされるＣＭＳを製作し、業種別ＣＭＳに対応した取扱説明書を作成し、それらをまとめて業種別にテンプレート化することによって、ウェブサイト費用の削減、ウェブサイトコンテンツ管理の簡素化を図る。
【発明の効果】
【００１３】  業種別にあらかじめ十分吟味されたコンテンツをＣＭＳに起用することにより、コンテンツが以前より充実し、機能的になる。各業種別ＣＭＳが開設者（１）に依らずテンプレート化されていれば、ウェブサイト（２）のコンテンツ管理の取扱説明書を、合わせて作成しておくことができる。それによって技能制限なく、より大勢のウェブサイトコンテンツ管理者がＣＭＳを利用可能となる。その結果、従来のウェブサイト（１０）より開設後の運営費用を削減することできる。【００１４】  専門業者（９）側もＣＭＳを一から作る手間が省け（図４参照）、業種別テンプレート化ＣＭＳを組み込んだウェブサイト（２）を大量生産でき、よって開設者（１）にも短時間に安価な製作費用でウェブサイト（２）を提供することができる。業種別に用意することにより、幅広い分野の開設者（１）に提供が可能となる。【００１５】  また、本発明の業種別テンプレート化ＣＭＳは、開設者が現在使用中のサーバー、又は新設時指定したサーバーに直接導入することができる。その結果、単に低コスト化、簡素化できるだけでなく、デザイン、レイアウト等ウェブサイトの表層部は新規又は従来通りの独自デザインを採用した上で、業種別テンプレート化ＣＭＳを導入することができる。
【発明を実施するための最良の形態】
【００１６】以下、本発明の実施の形態について説明する。
（イ）飲食業を例とすると、飲食業のウェブサイト（２Ｃ）では、小売業のような商品を販売する機能は必要なく、代わりにメニュー表示、テーブル予約機能その他が望まれる。また不動産業のウェブサイト（２Ｂ）では、物件を地域別に記録し、賃貸、分譲物件を登録する機能が最も必要になる。このように各業界のウェブサイト（２）の仕組みと設計を独自に調査し、その業種別にＣＭＳを製作する。
（ロ）各業種別ＣＭＳの使用方法を記した取扱説明書を、日本語版と必要であれば外国語版で作成する。
（ハ）上記の各業種別ＣＭＳとその取扱説明書をセットで一商品とし、注文前からあらかじめ各業種別に準備する。開設者（１）から注文が入った時、各開設者の業種に合ったＣＭＳを、提供者がサーバーに導入する、または開設者自身でサーバーに導入する。導入後、取扱説明書にそって開設者に使用方法を指導する。【００１７】  本発明の実施の形態では、飲食業、不動産業、小売業を例に説明したが、業種別テンプレート化ＣＭＳの製作数は、もちろん業種の数だけ存在する。【００１８】  さらに改良案の一実施例をあげると、本発明ではウェブサイトコンテンツのレイアウト、デザイン等表層部に関して、従来通り専門業者のＨＴＭＬによる製作を前提としたが、本発明の業種別テンプレート化ＣＭＳ中に、ＨＴＭＬがわからなくても簡単にウェブサイトのデザインを創作可能なアプリケーションを組み込めば、ウェブサイトのデザイン部分も専門業者に頼らずに変更が可能となる。【００１９】  つまり業種別テンプレート化ＣＭＳは、ＣＭＳそのものに柔軟性があり、今後新しいテクノロジー（ビデオチャット、３Ｄモデリング等）を導入したアップデート版も製作可能である。それにより、時代に対応した最先端技術を、短時間に低コストでより大勢の開設者に提供することができる。多くの開設者がリアルタイムでウェブサイトの情報を変更できるため、開設者はビジネスユーザーとして会社の情報を常に更新し、正確な情報を広くインターネットユーザーに発信しつづけることができるため、本発明はインターネット社会全体に大きく貢献できると考える。
【図面の簡単な説明】
【００２０】
【図１】本発明に係る業種別ＣＭＳの一具体例の構成を示すブロック図
【図２】非特許文献に係る一具体例の構成を示すブロック図
【図３】従来の一具体例の構成を示すブロック図
【図４】本発明に係る業種別ＣＭＳ付ウェブサイトの提供手順の一具体例を示す行程図
【図５】従来のウェブサイトの提供手順の一具体例を示す行程図
【符号の説明】
【００２１】１、５、８  開設者
２、６、１０  ウェブサイト
３  インターネット
４  ユーザー
７  サーバー
９  専門業者
１１  ＣＭＳ
１２  ウェブサーバー
１３  アプリケーションサーバー
１４  データベース
【図１】
2006350988.tif 000003
【図２】
2006350988.tif 000004
【図３】
2006350988.tif 000005
【図３】
2006350988.tif 000006
【図４】
2006350988.tif 000007
【図５】
2006350988.tif 000008
【手続補正書】
【提出日】平成17年9月22日(2005.9.22)
【手続補正１】
【補正対象書類名】図面
【補正対象項目名】全図
【補正方法】変更
【補正の内容】
【図１】
2006350988.tif 000009
【図２】
2006350988.tif 000010
【図３】
2006350988.tif 000011
【図４】
2006350988.tif 000012
【図５】
2006350988.tif 000013
【図６】
2006350988.tif 000014
【手続補正２】
【補正対象書類名】明細書
【補正対象項目名】００２０
【補正方法】変更
【補正の内容】
【００２０】
【図１】本発明に係る業種別ＣＭＳの一具体例の構成を示すブロック図
【図２】非特許文献に係る一具体例の構成を示すブロック図
【図３】従来の一具体例の構成を示すブロック図
【図４】ＣＭＳの概要図
【図５】本発明に係る業種別ＣＭＳ付ウェブサイトの提供手順の一具体例を示す行程図
【図６】従来のウェブサイトの提供手順の一具体例を示す行程図
【手続補正３】
【補正対象書類名】明細書
【補正対象項目名】０００８
【補正方法】変更
【補正の内容】
【０００８】  （イ）専門業者（９）は、開設者（８）の細かい要望に合わせて、常に一からウェブサイト（１０）を設計し製作するため（図６参照）、人件費の増加、製作期間の長期化に伴い、専門業者（９）は開設者（８）に高価な製作費用を要求せざるを得なかった。また、さらにＣＭＳ（１１）を付属させるとき、ＣＭＳ製作業者自体が日本にはまだ少なく、より時間と人件費が必要になった。ＣＭＳ（１１）は一度製作すれば後々のウェブサイト管理を自由にできるため、長期的な投資になるとも考えられたが、やはり高額費用が必要であった。
【手続補正４】
【補正対象書類名】明細書
【補正対象項目名】００１４
【補正方法】変更
【補正の内容】
【００１４】  専門業者（９）側もＣＭＳを一から作る手間が省け（図５参照）、業種別テンプレート化ＣＭＳを組み込んだウェブサイト（２）を大量生産でき、よって開設者（１）にも短時間に安価な製作費用でウェブサイト（２）を提供することができる。業種別に用意することにより、幅広い分野の開設者（１）に提供が可能となる。